(57)【要約】      （修正有）【課題】電子メールが相手に届いていないことをユーザに知らせることができる携帯端末を提供する。【解決手段】携帯電話機１は、表示部１８と、表示部１８の状態を検出する検出部１５，１９と、所定の報知を行う報知部１３，１８，２０と、電子メール機能動作部１５と、電子メール機能動作部１５により電子メールの作成が開始されてから当該電子メールの送信が完了するまでの間に検出部１５により表示部１８が所定の状態にあることが検出されると、報知部１３，１８，２０により所定の報知を行う制御部１５とを備える。【選択図】図２
2010177971.tif 000002
【特許請求の範囲】
【請求項１】
表示部と、
前記表示部の状態を検出する検出部と、
所定の報知を行う報知部と、
電子メール機能動作部と、
前記電子メール機能動作部により電子メールの作成が開始されてから当該電子メールの送信が完了するまでの間に前記検出部により前記表示部が所定の状態にあることが検出されると、前記報知部により前記所定の報知を行う制御部と
を備える携帯端末。
【請求項２】
前記表示部は、表示領域および当該表示領域に光を照射する光源体を有し、
前記検出部は、前記所定の状態として、前記光源体から前記表示領域に光が照射されている状態から照射されていない状態になったことを検出する
請求項１記載の携帯端末。
【請求項３】
前記表示部が設けられた第１筐体と、
第２筐体と、
前記第１筐体と前記第２筐体とを連結する連結部と
を有し、
前記第１筐体は、前記連結部を介して前記表示部が外部に露出する開状態と前記表示部が前記第２筐体によって覆われる閉状態との間を移動可能に構成され、
前記検出部は、前記所定の状態として、前記第１筐体が前記開状態から前記閉状態になったことを検出する
請求項１記載の携帯端末。
【請求項４】
前記制御部は、前記電子メールを送信する相手に応じて前記所定の報知の態様を異ならせる
請求項１から３のいずれか一項記載の携帯端末。
【請求項５】
前記制御部は、前記検出部により前記表示部が所定の状態にあることが検出されてから所定の時間が経過した後に前記報知部により前記所定の報知を行う
請求項１から４のいずれか一項記載の携帯端末。
【請求項６】
前記制御部は、前記電子メール機能動作部による前記電子メールの送信が失敗した場合に、前記報知部により前記所定の報知を行った後に前記電子メール機能動作部により前記電子メールを再送信する
請求項１から５のいずれか一項記載の携帯端末。
【請求項７】
所定の報知を行う報知部と、
周囲の光量を検出する光量検出部と、
電子メール機能を動作する電子メール機能動作部と、
前記電子メール機能動作部により電子メールの作成が開始されてから当該電子メールの送信が完了するまでの間に前記光量検出部により前記周囲の光量が所定の光量以下になったことが検出されると、前記報知部により前記所定の報知を行う制御部と
を備える携帯端末。
【発明の詳細な説明】
【技術分野】
【０００１】
本発明は、携帯端末に関し、詳しくは電子メールを作成して送信する機能を有する携帯端末に関する。
【背景技術】
【０００２】
特許文献１には、電子メールを作成して相手に送信する携帯端末が開示されている。
【先行技術文献】
【特許文献】
【０００３】
【特許文献１】特開２００５−２４２６１３号公報
【発明の概要】
【発明が解決しようとする課題】
【０００４】
しかしながら、特許文献１に開示されている携帯端末では、電子メールの作成を開始してから送信を完了するまでの間に、ユーザが電子メールを送信したと考えていても、実際には相手に電子メールが届いていない場合がある。
【０００５】
たとえば、電子メールを作成している途中で携帯端末をカバンなどにしまい、その後、ユーザが電子メールの作成中であったことを忘れた場合、携帯端末のユーザが電子メールを送信したと考えていても、実際には相手に電子メールが届いていない。また、携帯端末が電子メールの送信に失敗した場合においても、同様である。
【０００６】
そして、携帯端末のユーザは、既に電子メールを送信したと考えているため、次に携帯端末を使用するまで、相手に届いていない電子メールを放置してしまうことになる。
【０００７】
本発明は、上述のような課題に鑑みなされたもので、電子メールが相手に届いていないことをユーザに知らせることができる携帯端末を提供することを目的とする。
【課題を解決するための手段】
【０００８】
本発明の第１の観点の携帯端末は、表示部と、表示部の状態を検出する検出部と、所定の報知を行う報知部と、電子メール機能動作部と、電子メール機能動作部により電子メールの作成が開始されてから当該電子メールの送信が完了するまでの間に検出部により表示部が所定の状態にあることが検出されると、報知部により所定の報知を行う制御部とを備える。
【０００９】
好適には、表示部は、表示領域および当該表示領域に光を照射する光源体を有し、検出部は、所定の状態として、光源体から表示領域に光が照射されている状態から照射されていない状態になったことを検出してもよい。
【００１０】
好適には、表示部が設けられた第１筐体と、第２筐体と、第１筐体と第２筐体とを連結する連結部とを有し、第１筐体は、連結部を介して表示部が外部に露出する開状態と表示部が第２筐体によって覆われる閉状態との間を移動可能に構成され、検出部は、所定の状態として、第１筐体が開状態から閉状態になったことを検出してもよい。
【００１１】
好適には、制御部は、電子メールを送信する相手に応じて所定の報知の態様を異ならせてもよい。
【００１２】
好適には、制御部は、検出部により表示部が所定の状態にあることが検出されてから所定の時間が経過した後に報知部により所定の報知を行ってもよい。
【００１３】
好適には、制御部は、電子メール機能動作部による電子メールの送信が失敗した場合に、報知部により所定の報知を行った後に電子メール機能動作部により電子メールを再送信してもよい。
【００１４】
本発明の第２の観点の携帯端末は、所定の報知を行う報知部と、周囲の光量を検出する光量検出部と、電子メール機能を動作する電子メール機能動作部と、電子メール機能動作部により電子メールの作成が開始されてから当該電子メールの送信が完了するまでの間に光量検出部により周囲の光量が所定の光量以下になったことが検出されると、報知部により所定の報知を行う制御部とを備える。
【発明の効果】
【００１５】
本発明によれば、携帯端末に相手に届いていない電子メールが存在する場合、そのことを報知してユーザに知らせることができる。
【図面の簡単な説明】
【００１６】
【図１】本発明の第１の実施の形態に係る携帯電話機の外観構造の一例を示す図である。図１（ａ）は開状態であり、図１（ｂ）は閉状態である。
【図２】図１の携帯電話機の電気回路を示すブロック図である。
【図３】図１の携帯電話機において、電子メール作成画面が表示されたままの状態で携帯電話機が閉状態になったことが検出された場合での報知動作を示すシーケンスチャートである。
【図４】図１の携帯電話機において、電子メール作成画面が表示されたままの状態でバックライトがオフ状態になったことが検出された場合での報知動作を示すシーケンスチャートである。
【図５】図１の携帯電話機において、電子メールの送信に失敗して送信失敗画面が表示されたままの状態で携帯電話機が閉状態となったことが検出された場合での報知動作を示すシーケンスチャートである。
【図６】図１の携帯電話機において、電子メールの送信に失敗して送信失敗画面が表示されたままの状態でバックライトがオフ状態になったことが検出された場合での報知動作を示すシーケンスチャートである。
【図７】本発明の第２の実施の形態に係る携帯電話機における報知態様テーブルのデータ構造説明図である。
【図８】本発明の第３の実施の形態に係る携帯電話機において、電子メールの送信に失敗して送信失敗画面が表示されたままの状態で携帯電話機が閉状態となったことが検出された場合での報知動作を示すシーケンスチャートである。
【図９】本発明の第４の実施の形態に係る携帯電話機の外観構造の一例を示す図である。
【図１０】図９の携帯電話機の電気回路を示すブロック図である。
【図１１】図９の携帯電話機において、電子メール作成画面が表示されたままの状態で携帯電話機の周囲の光量が所定の値以下となったことが検出された場合での報知動作を示すシーケンスチャートである。
【発明を実施するための形態】
【００１７】
以下、本発明の実施形態を図面に関連付けて説明する。
【００１８】
［携帯端末の構成］
図１は、本発明の第１の実施の形態に係る携帯電話機１の外観構造の一例を示す図である。
図１には、折り畳み型の携帯電話機１が例示されている。
図１（ａ）は、携帯電話機１を開いた開状態を示した図であり、図１（ｂ）は携帯電話機１を折り畳んだ閉状態を示した図である。
【００１９】
携帯電話機１は、上部筐体１０１、下部筐体１０２、および下部筐体１０２と上部筐体１０１とを連結するヒンジ部１０３を有する。閉状態においては、上部筐体１０１に設けられた後述の表示部１８は、下部筐体１０２によって覆われる。
【００２０】
図２は、図１の携帯電話機１に組み込まれる電気回路のハードウェア構成を示すブロック図である。
携帯電話機１は、通信部１０、操作部１１、ＣＯＤＥＣ（COder DECorder）部１２、振動発生部１３、記憶部１４、制御部１５、表示部１８、開閉検出部１９、スピーカ２０、およびマイクロホン２１を有する。
そして、表示部１８は、ディスプレイデバイス１６およびバックライトユニット１７を含む。
【００２１】
通信部１０は、データを変復調するＲＦ（Radio Frequency）モジュールなどを有する。通信部１０は、制御部１５に接続される。
そして、通信部１０は、携帯電話機用の無線通信システムを捕捉し、通信ネットワークに接続される基地局との間で無線通信によりデータを送受する。通信部１０は、制御部１５から通信データを含む信号ＳＴＭが入力されると、基地局に接続して、通信データを基地局へ送信する。
また、通信部１０は、基地局から通信データを受信すると、その通信データを含む信号ＳＴＭを制御部１５へ出力する。
なお、通信部１０と基地局との間で送受されるデータには、たとえば電子メールデータ、音響データ、ウェブページデータなどがある。また、電子メールデータには、送信元アドレスのデータ、送信先アドレスのデータ、電子メールの内容を示す本文のデータなどが含まれる。
【００２２】
また、通信部１０は、電子メールデータを送信する場合において、所定のタイムアウト時間の間に電子メールデータを送信し終えることができなかったとき、送信処理を中断し、送信失敗を通知するデータを含む信号ＳＴＭを制御部１５へ出力する。
【００２３】
操作部１１は、複数の操作ボタンを有する。
複数の操作ボタンは、図１（ａ）に示すように、下部筐体１０２の操作領域１１ａに配設される。操作領域１１ａは、図１（ｂ）に示すように携帯電話機１を閉じた場合、上部筐体１０１と重なって隠れる下部筐体１０２の内面に設けられている。
複数の操作ボタンには、たとえば数字ボタン、文字ボタン、送信ボタン、通話ボタン、登録ボタン、方向ボタン、決定ボタン、発信ボタン、電源ボタン、またはファンクションボタンなどがある。
【００２４】
また、操作部１１は、制御部１５に接続される。
操作部１１は、操作ボタンがユーザにより操作されると、操作された操作ボタンに予め対応付けられた入力データを含む信号Ｓ１１を生成し、制御部１５へ出力する。
たとえば、文字ボタンが操作された場合、操作部１１は、操作された文字ボタンに予め対応付けられた文字データを含む信号Ｓ１１を制御部１５へ出力する。
また、電子メールの作成中に送信ボタンが操作された場合、操作部１１は、電子メールの送信を指示するデータを含む信号Ｓ１１を制御部１５へ出力する。
【００２５】
ＣＯＤＥＣ部１２は、制御部１５に接続される。
そして、ＣＯＤＥＣ部１２は、マイクロホン２１から入力される音響信号を音響データへ変換し、その音響データを含む信号ＳＣＯを制御部１５へ出力する。
また、ＣＯＤＥＣ部１２は、制御部１５から入力される信号ＳＣＯに含まれる音響データを音響信号へ変換し、スピーカ２０（報知部の１つ）へ出力する。
【００２６】
振動発生部１３（報知部の１つ）は、振動発生モータを有し、制御部１５に接続される。
そして、制御部１５から駆動データを含む駆動信号ＳＶＢが入力されると、振動発生モータは、入力された駆動データに基づいて、携帯電話機１を振動させるための振動を発生する。
【００２７】
表示部１８は、制御部１５からの信号に基づき、所定の情報を表示することで報知を行う報知部としても動作する。
表示部１８のディスプレイデバイス１６は、たとえばＬＣＤ（Liquid Crystal Display Device）や有機ＥＬ（Electro-Luminescence）である。
ディスプレイデバイス１６は、図１（ａ）に示すように上部筐体１０１の表示領域１６ａに配設される。表示領域１６ａは、図１（ｂ）に示すように携帯電話機１をフリップクローズ操作により閉じた場合、下部筐体１０２と重なって隠れる上部筐体１０１の内面に設けられている。
また、ディスプレイデバイス１６は、制御部１５に接続される。そして、制御部１５から表示データを含む信号ＳＤＰが入力されると、ディスプレイデバイス１６は、表示データの表示内容を表示領域に表示する。
【００２８】
表示部１８のバックライトユニット１７（光源体）は、制御部１５に接続される。そして、バックライトユニット１７は、制御部１５からの制御信号ＳＢＫによりオン状態とオフ状態との間で切り替えられ、オン状態においてディスプレイデバイス１６の表示領域に光を照射する。
【００２９】
また、バックライトユニット１７は、オン状態とオフ状態との間で切り替えられると、新たな状態を通知するための通知信号Ｓ１７を制御部１５へ出力する。
【００３０】
開閉検出部１９（検出部の１つ）は、制御部１５に接続される。そして、開閉検出部１９は、携帯電話機１の開閉状態の変化を検出し、検出信号Ｓ１９を制御部１５へ出力する。
【００３１】
記憶部１４は、制御部１５に接続される。
記憶部１４は、たとえば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などにより構成される。
そして、記憶部１４は、制御部１５が実行する各種のプログラム、および後述の報知態様テーブル等の各処理に利用されるデータを記憶する。また、記憶部１４は、プログラムの処理過程で生成される電子メールデータなども記憶する。
【００３２】
なお、この記憶部１４に記憶されるプログラムは、通信部１０などを用いてインターネットなどの伝送媒体を介してダウンロードしてインストールしたものであっても、ＣＤ−ＲＯＭ（Compact Disc Read Only Memory）などのコンピュータ読み取り可能な記録媒体に記憶されていたものをインストールしたものであってもよい。
【００３３】
制御部１５は、コンピュータとしてのマイクロプロセッサ、内部タイマ、Ｉ／Ｏポートなどを有する。
内部タイマは、時間を計測する。
Ｉ／Ｏポートは、制御部１５に接続された各種の周辺デバイスから入力される信号から、データを抽出する。また、Ｉ／Ｏポートは、制御部１５内で発生したデータを含む信号を生成し、制御部１５に接続された周辺デバイスへ出力する。
マイクロプロセッサは、記憶部１４に記憶されているプログラムを読み込み、読み込んだプログラムをマルチタスク処理により実行する。これにより、マイクロプロセッサは、以下に示す各種の手順を実行する処理部として機能する。
【００３４】
そして、制御部１５は、携帯電話機１の電力消費を抑えるための節電制御を実行する。
節電制御を行う際、制御部１５は、たとえば、携帯電話機１に対する操作がなされる度に、内部メモリに節電タイムアウト時間を更新設定する。
また、制御部１５は、内部タイマに設定した節電タイムアウト時間が経過すると、バックライトユニット１７へ制御信号を出力し、バックライトユニット１７をオフ状態に制御する。
【００３５】
また、制御部１５は、電子メールを作成する電子メール作成処理および電子メールを送信する電子メール送信処理を行う電子メール機能動作部としても動作する。
電子メール作成処理において、制御部１５は、電子メール作成画面のデータを生成し、このデータを含む信号ＳＤＰをディスプレイデバイス１６へ出力する。これにより、ディスプレイデバイス１６には、電子メール作成画面が表示される。
また、制御部１５は、操作部１１から、文字データを含む信号Ｓ１１が入力されると、作成中の電子メールデータにその文字データを追加する。これにより、制御部１５は、電子メールデータを生成する。
また、制御部１５は、追加更新後の電子メールデータの表示データを作成し、その表示データを含む信号ＳＤＰをディスプレイデバイス１６へ出力する。これにより、ディスプレイデバイス１６には、作成中の電子メールの内容が表示される。
【００３６】
また、電子メール送信処理において、制御部１５は、操作部１１から、送信を指示するデータを含む信号Ｓ１１が入力されると、作成中または作成済みの未送信の電子メールデータを取得し、取得した電子メールデータを含む信号ＳＴＭを通信部１０へ出力する。
また、制御部１５は、通信部１０から、送信失敗を示すデータを含む信号ＳＴＭが入力されると、送信失敗を表示する表示データを含む信号ＳＤＰをディスプレイデバイス１６へ出力する。これにより、ディスプレイデバイス１６には、送信失敗の通知画面が表示される。
【００３７】
なお、本実施形態において、電子メールの作成の開始とは、携帯電話機１の電子メール機能動作部が起動し、電子メールの新規作成画面で電子メールに係る項目、たとえば送信先アドレスなどが入力されたことをいう。
また、電子メールの送信の完了とは、電子メールを基地局へ送信し終えたことをいう。
【００３８】
また、制御部１５は、振動発生部１３、表示部１８およびスピーカ２０に対して報知を指示する信号を出力し、報知を行わせる。
なお、制御部１５は、表示部１８による報知、スピーカ２０による報知および振動発生部１３による報知を組み合わせて実施することができる。
【００３９】
次に、図２の電気回路を含む携帯電話機１の動作を説明する。以下の説明では、主に、報知制御およびそれに関連する動作について説明する。
【００４０】
［電子メール作成画面が表示されたままの状態で携帯電話機１が閉状態になったことが検出された場合の報知動作］
図３は、図２の電気回路を含む携帯電話機１において、電子メール作成画面が表示されたままの状態で携帯電話機１が閉状態になったことが検出された場合での報知動作を示すシーケンスチャートである。
【００４１】
なお、図３のシーケンスチャートにおいて、時間は上から下に流れる。
また、上下方向にのびた４本の縦線は、左側の縦線から順番に、表示部１８の表示内容、制御部１５の動作内容、携帯電話機１内でのイベント内容、ユーザのイベント内容の時系列を示している。
以下に示す他のシーケンスチャートも同様である。
【００４２】
図３のステップＳＴ１において、制御部１５は、電子メール作成処理を開始する。
これにより、ステップＳＴ２に示すように、制御部１５は、表示部１８に、電子メール作成画面を表示させる。
【００４３】
電子メールを作成するユーザは、操作部１１を操作し、電子メールの送信先アドレスまたは本文を入力する。
これにより、携帯電話機１では、ステップＳＴ３に示すように、操作部１１は、操作された操作ボタンに応じた入力データを含む信号Ｓ１１を制御部１５へ出力する。
制御部１５は、入力されたデータにより作成中の電子メールのデータを更新する。
また、ステップＳＴ４に示すように、制御部１５は、表示部１８に、作成中の電子メールの内容を表示させる。
【００４４】
その後、ユーザは、送信ボタンを操作したと勘違いして、実際には送信ボタンを操作しないまま携帯電話機１を開状態から閉状態とする。
ステップＳＴ５に示すように、開閉検出部１９は、携帯電話機１が閉状態になったことを検出し、検出信号Ｓ１９を制御部１５へ出力する。このとき、表示部１８には電子メール作成画面が表示されたままであるため、制御部１５は、表示部１８に電子メール作成画面が表示されていると判断する。
【００４５】
開閉検出部１９から検出信号Ｓ１９が入力されると、制御部１５は、Ｎ秒（所定の時間）が経過した後に、振動発生部１３、表示部１８およびスピーカ２０により報知を行う。
具体的には、制御部１５は、ステップＳＴ６、ＳＴ７に示すように、内部タイマにＮ秒を設定し、Ｎ秒後に内部タイマが未送信メール在りを通知するタイマ割り込み（内部イベント）を発生させると報知を行う。
【００４６】
ここで待ち時間Ｎ秒は、０秒以上であればよい。
なお、待ち時間が０秒である場合、制御部１５は、ステップＳＴ５において閉状態となったことが検出されるのと同時に報知を行う。
【００４７】
具体的な報知の方法としては、ステップＳＴ８に示すように、制御部１５は、表示部１８に所定の画面を表示させる。
また、ステップＳＴ９に示すように、制御部１５は、スピーカ２０から所定の報知音を出力させる。
ここで、所定の報知音は、その旨を内容とする音声であってもよいが、ユーザが着信音に使用している音などを使用してもよい。
また、制御部１５は、振動発生部１３により、所定の振動を発生させる。
【００４８】
これらの報知により、ユーザは、携帯電話機１が閉状態となり表示部１８が視認できない場合でも、相手に届いていない電子メールがあることを知ることができる。
【００４９】
［電子メール作成画面が表示されたままの状態でバックライトがオフ状態になったことが検出された場合の報知動作］
図４は、図２の電気回路を含む携帯電話機１において、電子メール作成画面が表示されたままの状態でバックライトユニット１７がオン状態からオフ状態になったことが検出された場合での報知動作を示すシーケンスチャートである。
【００５０】
図４のシーケンスチャートにおいて、ステップＳＴ１〜ＳＴ４までの電子メール作成処理は、図３での電子メール作成処理と同じである。
【００５１】
そして、ユーザは、送信ボタンを操作したと勘違いして、実際には送信ボタンを操作しないまま携帯電話機１を放置する。
【００５２】
このように携帯電話機１が放置された場合、操作部１１の操作ボタンは操作されない。
ここで、ステップＳＴ１１およびＳＴ１２に示すように、制御部１５は、内部タイマに節電タイムアウト時間を設定し、内部タイマは、その節電タイムアウト時間の後に、タイムアウト通知（内部イベント）を発生する。
【００５３】
内部タイマから節電タイムアウトの通知があると、制御部１５は、ステップＳＴ１３に示すように、バックライトユニット１７へ制御信号ＳＢＫを出力し、バックライトユニット１７をオフ状態に制御する。
このとき、バックライトユニット１７は、ステップＳＴ１４に示すように、その旨を通知する通知信号Ｓ１７を制御部１５へ出力する。
【００５４】
制御部１５は、バックライトユニット１７からオフ状態に制御されたことを通知する通知信号Ｓ１７が入力されたことを検出すると、Ｎ秒が経過した後に報知部により報知を行う。
この場合の図４におけるステップＳＴ６〜ＳＴ９は、図３と同じである。
【００５５】
これにより、ユーザは、バックライトユニット１７から光が照射されていない状態となり表示部１８が視認できない場合でも、相手に届いていない電子メールがあることを知ることができる。
【００５６】
［電子メールの送信に失敗して送信失敗画面が表示されたままの状態で携帯電話機１が閉状態となったことが検出された場合の報知動作］
図５は、図２の電気回路を含む携帯電話機１において、電子メールの送信に失敗して送信失敗画面が表示されたままの状態で携帯電話機１が閉状態となったことが検出された場合での報知動作を示すシーケンスチャートである。
【００５７】
図５のシーケンスチャートにおいて、ステップＳＴ１〜ＳＴ４までの電子メール作成処理は、図３と同じである。
【００５８】
そして、ユーザは、電子メールを作成した後、送信ボタンを操作すると、ステップＳＴ２１に示すように、操作部１１は、送信指示のデータを含む信号Ｓ１１を制御部１５へ出力する。
【００５９】
操作部１１から送信指示のデータを含む信号Ｓ１１が入力されると、ステップＳＴ２２、ＳＴ２３に示すように、制御部１５は、電子メールの作成処理を終了し、電子メールの送信処理を開始する。
制御部１５は、作成した電子メールのデータを取得し、通信部１０へ出力する。通信部１０は、基地局と接続し、制御部１１から入力された電子メールのデータの送信を試みる。
【００６０】
そして、所定のタイムアウト時間の間に電子メールデータを送信し終えることができなかった場合、通信部１０は、送信処理を中断し、ステップＳＴ２４に示すように、送信失敗を通知するデータを含む信号ＳＴＭを制御部１５へ出力する。
また、送信失敗を通知するデータを含む信号ＳＴＭが入力されると、制御部１５は、ステップＳＴ２５、ＳＴ２６に示すように、送信失敗の通知画面の表示データを生成し、その画面を表示部１８に表示させる。
【００６１】
その後、ユーザは、送信失敗の通知画面を確認しないまま、携帯電話機１を開状態から閉状態とする。
これにより、ステップＳＴ５に示すように、開閉検出部１９から制御部１５へ検出信号Ｓ１９が出力される。このとき、表示部１８には送信失敗の通知画面が表示されたままであるため、制御部１５は、表示部１８に送信失敗の通知画面が表示されていると判断する。
【００６２】
開閉検出部１９から検出信号Ｓ１９が入力されると、制御部１５は、Ｎ秒が経過した後に、振動発生部１３、表示部１８およびスピーカ２０により報知を行う。
これらの報知により、ユーザは、携帯電話機１に相手に届いていない電子メールがあることを知ることができる。
【００６３】
なお、図５のシーケンスチャートでは、ステップＳＴ２６の処理により表示部１６には送信失敗の報知表示がなされているので、制御部１５は、ステップＳＴ８での送信失敗の報知表示処理を実行しなくてもよい。
【００６４】
［電子メールの送信に失敗して送信失敗画面が表示されたままの状態でバックライトがオフ状態になったことが検出された場合の報知動作］
図６は、図２の電気回路を含む携帯電話機１において、電子メールの送信に失敗して送信失敗画面が表示されたままの状態でバックライトユニット１７がオン状態からオフ状態になったことが検出された場合の報知動作を示すシーケンスチャートである。
【００６５】
図６のシーケンスチャートにおいて、ステップＳＴ１〜ＳＴ４までの電子メール作成処理、ステップＳＴ２１〜ＳＴ２６の電子メールの送信および失敗画面表示処理は、図５と同じである。
【００６６】
ユーザは、ステップＳＴ２６で表示された送信失敗の通知画面を確認しないまま、携帯電話機１を放置すると、操作部１１の操作ボタンは操作されない。ここで、制御部１５は、ステップＳＴ１１〜ＳＴ１３においてバックライトユニット１７をオン状態からオフ状態とする。
【００６７】
オフ状態に制御されたバックライトユニット１７は、ステップＳＴ１４に示すように、その旨を通知する通知信号Ｓ１７を制御部１５へ出力する。
【００６８】
バックライトユニット１７からオフ状態に制御されたことを通知する通知信号Ｓ１７が入力されたことを検出すると、制御部１５は、報知制御を開始する。
この場合の、図５におけるステップＳＴ６〜ＳＴ９は、図３と同じである。
【００６９】
なお、図６のシーケンスチャートでは、ステップＳＴ２６の処理により表示部１８には送信失敗の報知表示がなされているので、制御部１５は、ステップＳＴ９での送信失敗の報知表示処理を実行しなくてもよい。
【００７０】
以上のように、第１の実施の形態に係る携帯電話機１では、携帯電話機１に未完成または未送信の電子メールが残ったまま携帯電話機１が閉じられた場合、制御部１５は報知制御を実行する。
また、携帯電話機１に未完成または未送信の電子メールが残ったまま携帯電話機１が未使用状態に放置された場合、制御部１５は報知制御を実行する。
【００７１】
よって、電子メールが相手に届いていないことをユーザが認識していないと思われる場合には、表示部の状態に基づいてそのことを気付かせるための報知を行い、ユーザに認識させることができる。
【００７２】
また、バックライトユニット１７がオフ状態になると、表示部１８に表示されている内容が視認し難くなるが、そのような場合でも、音や振動による報知によりユーザに効果的に気付かせることができる。
【００７３】
また、携帯電話機１が閉じられた状態ではユーザは電子メールの作成画面や送信失敗の通知画面が表示されていることに気付くことができないが、そのような場合でも、音や振動による報知によりユーザに効果的に気付かせることができる。
【００７４】
また、制御部１５は、表示部１８が所定の状態にあることが検出されてから所定の時間が経過した後に報知を行う。
これにより、たとえばユーザが電子メールの作成中であること、または送信に失敗したことを認識している場合に、携帯電話機１を閉じた直後またはバックライトがオフになった直後に不用意に報知しないようにすることができる。
【００７５】
本発明の第２の実施の形態に係る携帯電話機１では、制御部１５が、報知を行う際に、報知態様テーブルに基づいて送信先アドレス毎に報知の態様を異ならせる。
それ以外の構成は、第１の実施の形態に係る携帯電話機１と共通する。
【００７６】
図７は、報知態様テーブルのデータ構造説明図である。報知態様テーブルは、図２の記憶部１４に記憶される。
【００７７】
報知態様テーブルは、電子メールアドレス毎の複数のレコードを有する。
各レコードには、電子メールの送信先となる電子メールアドレスの情報と、報知態様の情報とが含まれる。
たとえば、図７の１行目のレコードには、送信先アドレスの情報として「Ａ＠Ｂ」が含まれ、報知態様の情報として「ＳＤＰ＋ＳＣＯ」が含まれる。
報知態様の情報において「ＳＤＰ」は、表示による報知を意味し、「ＳＣＯ」は、音による報知を意味する。また、図７の２行目のレコードに含まれる「ＳＶＢ」は、振動による報知を意味する。
【００７８】
次に、第２の実施の形態に係る携帯電話機１の動作を説明する。
第２の実施の形態に係る携帯電話機１の全体的な動作は、第１の実施の形態に係る携帯電話機１と共通する。
ただし、制御部１５は、図３〜図６のシーケンス中のステップＳＴ８、ＳＴ９に関する報知部による報知を、図７の報知態様テーブルに基づいて行う。
【００７９】
具体的には、制御部１５または開閉検出部１９により表示部１８が所定の状態にあることが検出されると、制御部１５は、作成中または未送信の電子メールから、送信先アドレスを取得する。
【００８０】
送信先アドレスを取得した後、制御部１５は、報知態様テーブルから、取得した送信先アドレスに対応する報知態様情報を取得し、取得した報知態様情報に基づいて報知を行う。
【００８１】
たとえば取得した送信先アドレスが「Ａ＠Ｂ」である場合、制御部１５は、図７の最初のレコードを選択し、報知態様情報として「ＳＤＰ＋ＳＣＯ」を取得する。
そして、制御部１５は、この報知態様情報に基づき、未完成または未送信の電子メールが残っていることを表示部１８およびスピーカ２０により報知する。
【００８２】
一方、取得した送信先アドレスが「Ｃ＠Ｄ」である場合、制御部１５は、図７の２番目のレコードを選択し、報知態様情報として「ＳＤＰ＋ＳＶＢ」を取得する。
そして、制御部１５は、この報知態様情報に基づき、未完成または未送信の電子メールが残っていることを表示部１８および振動発生部１３により報知する。
【００８３】
以上のように、第２の実施の形態に係る携帯電話機１では、ステップＳＴ８〜ＳＴ９において報知部により所定の報知を行う際に図７に示す報知態様テーブルを用いて、電子メールを送信する相手に応じて所定の報知の態様を異ならせる。
これにより、携帯電話機１の使い勝手が向上する。
【００８４】
本発明の第３の実施の形態に係る携帯電話機１は、制御部１５が、報知を行う際に、送信に失敗した電子メールを再送信する。
それ以外の構成は、第１の実施の形態に係る携帯電話機１と共通する。
【００８５】
図８は、第３の実施の形態に係る携帯電話機１において、電子メールの送信に失敗して送信失敗画面が表示され、その後に携帯電話機１が閉状態となった場合における報知動作を示すシーケンスチャートである。
なお、電子メールの送信に失敗するとは、ユーザが操作部１１の送信ボタンを操作したが、電子メールが基地局へ届いていないことをいう。
【００８６】
制御部１５は、ステップＳＴ８、ＳＴ９において所定の報知を行った後、ステップＳＴ３１において、通信部１０により送信に失敗した電子メールを再送信する。
【００８７】
なお、以上の説明は、図８に基づいて、電子メールの送信に失敗した後に携帯電話機１が閉状態となった場合での、電子メールの再送信処理を例として説明しているが、この他にも、電子メールの送信に失敗した後にバックライトがオフ状態なった場合に電子メールの再送信処理を実行してもよい。
【００８８】
以上のように、第３の実施の形態に係る携帯電話機１では、制御部１５は、ステップＳＴ８〜ＳＴ９において報知部により所定の報知を行った後、ステップＳＴ３１において送信に失敗した電子メールを再送信する。これにより、携帯電話機１の使い勝手が向上する。
【００８９】
本発明の第４の実施の形態に係る携帯電話機１は、作成中の未完成の電子メールまたは送信に失敗した未送信の電子メールが携帯端末に存在する場合、これを報知によりユーザに知らせる点で、第１の実施の形態に係る携帯電話機１と共通する。
ただし、第４の実施の形態に係る携帯電話機１は、図９に示すようにストレート型の携帯電話機１であり、図１０に示すように開閉検出部１９の代わりに光センサ部３１（光量検出部）を備える。
【００９０】
光センサ部３１は、光を受光するフォトダイオードまたはＣｄＳセルを有し、携帯電話機１の周囲の光量を検出する。
光センサ部３１は、たとえば図９に示すように、表示部１８の表示領域１６ａと操作部１１の操作領域１１ａとの間に配設される。
そして、光センサ部３１は、制御部１５に接続される。光センサ部３１は、たとえば周囲の光量が所定値以上から所定値以下へ変化すると、検出信号Ｓ３１を制御部１５へ出力する。
【００９１】
図１１は、図１０の電気回路を含む携帯電話機１において、電子メール作成画面が表示されたままの状態で携帯電話機１の周囲の光量が所定の値以下となった場合での報知動作を示すシーケンスチャートである。
【００９２】
図１１のシーケンスチャートにおいて、ステップＳＴ１〜ＳＴ４までの電子メール作成処理は、第１の実施の形態と同じである。
【００９３】
そして、ユーザは、電子メールの作成中に、たとえば電子メールの作成を終えて送信ボタンを操作したと勘違いして、実際には送信ボタンを操作しないままの状態で携帯電話機１を放置する。
【００９４】
ここで、周囲の光量が所定の光量以下となると、光センサ部３１は、検出信号Ｓ３１を制御部１５へ出力する。
【００９５】
光センサ部３１から検出信号Ｓ３１が入力されると、制御部１５は、Ｎ秒が経過した後に、振動発生部１３、表示部１８およびスピーカ２０により報知を行う。
このときのステップＳＴ６〜ＳＴ９の処理は、第１の実施の形態と同じである。
【００９６】
これらの報知により、ユーザは、携帯電話機１の周囲が暗くなり表示部１８が視認できない場合でも、相手に届いていない電子メールがあることを知ることができる。
【００９７】
なお、以上の説明は、図１１に基づいて、電子メールの作成中に携帯電話機１の周囲の光量が所定の値以下となった場合での報知処理を例として説明しているが、この他にも、電子メールの送信に失敗した場合に光センサ部３１の検出結果に基づいて同様の報知を行ってもよい。
【００９８】
以上の各実施の形態は、本発明の好適な実施の形態の例であるが、本発明は、これに限定されるものではなく、発明の要旨を逸脱しない範囲において種々の変形または変更が可能である。
【００９９】
例えば、上述した各実施の形態では、携帯端末として携帯電話機１を挙げて説明しているが、本発明はこれに限定されず、電子メールを作成して送信する機能を有するものであれば、ＰＤＡ（Personal Data Assistant）、ＰＨＳ（Personal Handy Phone）、携帯ゲーム機等の他の携帯端末であってもよい。
【０１００】
また、上述した各実施の形態では、制御部１５は、表示部１８に電子メールの作成画面または送信失敗の通知画面のいずれかが表示されている場合に表示部１８の状態に基づいて報知を行うが、本発明はこれに限定されず、例えば、電子メールのプレビュー画面が表示部１８に表示されている場合など、電子メールの作成が開始されてから送信が完了するまでの間に表示部１８の状態に基づいて報知を行えばよい。
【０１０１】
また、上述した各実施の形態では、所定の報知を行う際に複数の報知部により報知を行っているが、本発明はこれに限定されず、１つの報知部により報知を行うようにしてもよい。ただし、各実施の形態において携帯電話機１が閉状態である場合には、振動発生部１３またはスピーカ２０により報知を行うことが望ましい。
【０１０２】
また、上述した第１から第３の実施の形態では折り畳み式の携帯電話機１を例示し、第４の実施の形態ではストレート型の携帯電話機１を例示しているが、本発明はこれに限定されず、スライド式やターン式の携帯電話機１であってもよい。
【０１０３】
また、上述した第２の実施の形態では、制御部１５は、図７の報知態様テーブルに基づいて電子メールの送信先アドレス毎に報知の態様を異ならせているが、本発明はこれに限定されず、報知態様テーブルを用いずに報知の態様を異ならせてもよい。
【符号の説明】
【０１０４】
１・・・携帯電話機（携帯端末）、１３・・・振動発生部（報知部）、１５・・・制御部（電子メール機能動作部、検出部）、１７・・・バックライトユニット（光源体）、１８・・・表示部（報知部）、１８ａ・・・表示領域、１９・・・開閉検出部（検出部）、２０・・・スピーカ（報知部）、３１・・・光センサ部（光量検出部）、１０１・・・上部筐体（第１筐体）、１０２・・・下部筐体（第２筐体）、１０３・・・ヒンジ部（連結部）
【図１】
2010177971.tif 000003
【図２】
2010177971.tif 000004
【図３】
2010177971.tif 000005
【図４】
2010177971.tif 000006
【図５】
2010177971.tif 000007
【図６】
2010177971.tif 000008
【図７】
2010177971.tif 000009
【図８】
2010177971.tif 000010
【図９】
2010177971.tif 000011
【図１０】
2010177971.tif 000012
【図１１】
2010177971.tif 000013